(57)【要約】【課題】  双方向通信機能を備えていなくとも、有料放送の受信契約内容の変更に際してきめ細やかなサービスを享受することが可能な放送受信装置を提供すること。【解決手段】  視聴に制限がかけられた番組に係る放送の制限放送データを放送局から受信する放送受信手段と、当該番組の視聴を可能とするデスクランブラと、放送受信手段が受信した制限放送データをデスクランブラにより視聴可能とするための制限解除情報をコード化したコード情報を表示手段に出力する出力手段とを備えたことを特徴とする放送受信装置。【選択図】    図１
2007027825.tif 000002
【特許請求の範囲】
【請求項１】
視聴に制限がかけられた番組に係る放送の制限放送データを放送局から受信する放送受信手段と、
当該番組の視聴を可能とするデスクランブラと、
前記放送受信手段が受信した制限放送データを前記デスクランブラにより視聴可能とするための制限解除情報をコード化したコード情報を表示手段に出力する出力手段と
を備えたことを特徴とする放送受信装置。
【請求項２】
放送受信装置を特定するＩＤデータを記憶する記憶手段と、
視聴に制限がかけられた番組を特定する番組特定データを放送局から受信する番組特定データ受信手段と、
前記記憶手段に記憶されたＩＤデータと前記番組特定データ受信手段が受信した番組特定データとを含む制限解除情報をコード化したコード情報を生成する生成手段と
を備え、
前記出力手段は、前記生成手段が生成したコード情報を前記表示手段に出力することを特徴とする請求項１に記載の放送受信装置。
【請求項３】
視聴に制限がかけられた番組の視聴料金の決済に用いられる決済用データを放送局から受信する決済用データ受信手段
を備え、
前記生成手段は、前記決済用データ受信手段が受信した決済用データを含む制限解除情報をコード化したコード情報を生成することを特徴とする請求項２に記載の放送受信装置。
【請求項４】
視聴に制限がかけられた番組の制限を解除するための制限解除情報をコード化したコード情報を利用者が所有する携帯端末機が備える撮像手段により撮像して得られた画像データに基づいて制限解除情報を生成する前記携帯端末機から制限解除情報を受信する制限解除情報受信手段と、
前記制限解除情報受信手段が受信した制限解除情報に基づいて、視聴に制限がかけられた番組の制限を解除する制限解除信号を送信する制限解除信号送信手段と
を備えたことを特徴とするサーバ。
【請求項５】
前記制限解除情報受信手段は、放送受信装置を特定するＩＤデータと視聴に制限がかけられた番組を特定する番組特定データとを含む制限解除情報を受信し、
前記制限解除信号送信手段は、受信したＩＤデータに対応する放送受信装置に、受信した番組特定データに係る番組の視聴を可能とするための制限解除信号を送信することを特徴とする請求項４に記載のサーバ。
【請求項６】
視聴料金の決済に係る処理を行う決済処理実行手段
を備え、
前記制限解除情報受信手段は、放送視聴料金の決済に係る決済用データを含む制限解除情報を受信し、
前記決済処理実行手段は、前記制限解除情報受信手段が受信した制限解除情報に含まれる決済用データに基づいて視聴料金の決済に係る処理を行い、
前記制限解除信号送信手段は、前記決済処理実行手段が視聴料金の決済に係る処理を終了した後に、制限解除信号を送信することを特徴とする請求項４又は５に記載のサーバ。
【発明の詳細な説明】
【技術分野】
【０００１】
本発明は、放送受信装置及びサーバに関する。
【背景技術】
【０００２】
従来、衛星やケーブル等を介して放送される有料放送においては、特定の受信者のみが視聴できるように、放送局から放送されるテレビジョン信号にはスクランブルがかけられている。このスクランブルを解除して放送を視聴したい旨を受信者が放送局に電話等で伝えると、放送局からスクランブルを解く鍵情報（スクランブル鍵）が暗号化されて送信されるようになる。
【０００３】
各受信者宅に設置されている放送受信装置には、この暗号化された鍵情報を解くための個人鍵情報（マスタ鍵）が格納されており、放送局から送信される暗号化された鍵情報をこの個人鍵情報で解き、当該放送を視聴可能としている（例えば、特許文献１）。
【０００４】
【特許文献１】特開平７−１５４７７０号公報
【発明の開示】
【発明が解決しようとする課題】
【０００５】
一般に、有料放送においては、少なくとも２種類の課金方式がある。１つは、例えば、受信者が有料番組を放送する放送局に対して受信契約を交わして加入者となり、一定の受信料金を支払うといった課金方式（所謂、定額制課金方式）であり、もう１つは、有料番組毎に対して課金が設定され、ある一定期間後にまとめて支払うといった課金方式（所謂、ペイパービュー方式）である。
【０００６】
このような契約形態では、定額制課金方式において短期間（例えば、１カ月）視聴したい場合や、ペイパービュー方式において視聴したい番組を発見する毎に、その都度放送局に電話をしてその旨を伝えて視聴可能としてもらう必要があるといった問題があった。また、このような電話による手続きでは、その受付時間帯が制約されているという問題があった。
【０００７】
そこで近年では、放送受信装置を、インターネットを介して放送局等とデータ通信を行えるようにし、放送受信者が所望の有料番組等を放送受信装置に入力すると、視聴した番組に応じて課金が設定された上で視聴可能となり、ある一定期間経過後にまとめて料金を支払うといったサービスが登場している。このような方法であれば、その都度、放送局に対して手続きの電話を行う必要がなく、また、手続きの受付時間帯が制約されることもない。
【０００８】
しかしながら、データ通信を行うためのケーブルモデム等を別途設置するには、設置スペースを確保する必要があるといった問題があった。また、省スペース化の観点から登場したケーブルモデム内蔵型の放送受信装置では、頻繁には双方向通信機能を利用しない受信者にとっては、内蔵していないものに比べて高価となってしまうためにその購入が躊躇されて、結局、上記のサービスを受けることができていないといった問題がある。
【０００９】
本発明は、上述した課題に鑑みてなされたものであり、その目的は、双方向通信機能を備えていなくとも、有料放送の受信契約内容の変更に際してきめ細やかなサービスを享受することが可能な放送受信装置を提供することにある。
【課題を解決するための手段】
【００１０】
以上のような目的を達成するために、本発明は、以下のようなものを提供する。
（１）  視聴に制限がかけられた番組に係る放送の制限放送データを放送局から受信する放送受信手段と、
当該番組の視聴を可能とするデスクランブラと、
上記放送受信手段が受信した制限放送データを上記デスクランブラにより視聴可能とするための制限解除情報をコード化したコード情報を表示手段に出力する出力手段と
を備えたことを特徴とする放送受信装置。
【００１１】
（１）の発明によれば、視聴に制限がかけられた番組を視聴可能とするための制限解除情報をコード化したコード情報が表示手段（例えば、テレビジョン受像機や放送受信装置が備える表示装置）に出力される。従って、例えば、受信者は、携帯電話機が備えるカメラ等でコード情報を撮像し、得られた画像データに基づいて生成された制限解除情報をサーバ等に送信すると、スクランブル信号をデコードするデスクランブラ（スクランブルデコーダ）によりスクランブルが解除され、視聴に制限がかけられた番組を視聴することができる。このように、有料放送の受信契約内容の変更に際して、双方向通信機能を備える装置が接続されていなくともその都度放送局に電話等する必要がなく、また、契約内容を変更する時間的制約もないため、きめ細やかなサービスを享受することが可能となる。
【００１２】
さらに、本発明は、以下のようなものを提供する。
（２）  上記（１）の放送受信装置であって、
放送受信装置を特定するＩＤデータを記憶する記憶手段と、
視聴に制限がかけられた番組を特定する番組特定データを放送局から受信する番組特定データ受信手段と、
上記記憶手段に記憶されたＩＤデータと上記番組特定データ受信手段が受信した番組特定データとを含む制限解除情報をコード化したコード情報を生成する生成手段と
を備え、
上記出力手段は、上記生成手段が生成したコード情報を上記表示手段に出力することを特徴とする。
【００１３】
（２）の発明によれば、放送受信装置（例えば、セットトップボックス）を特定するＩＤデータと放送局から受信した番組特定データとを含む制限解除情報がコード化されてコード情報が生成され、表示手段（例えば、テレビジョン受像機や放送受信装置が備える表示装置）に出力される。このように、制限解除情報にはＩＤデータと番組特定データとが含まれているため、例えば、受信者が撮像したコード情報に基づいて生成された制限解除情報がサーバ等に送信されると、サーバは、当該ＩＤデータの受信者に対して当該番組の視聴制限を解除するための制限解除信号を送信することができるようになる。
【００１４】
さらに、本発明は、以下のようなものを提供する。
（３）  上記（２）の放送受信装置であって、
視聴に制限がかけられた番組の視聴料金の決済に用いられる決済用データを放送局から受信する決済用データ受信手段
を備え、
上記生成手段は、上記決済用データ受信手段が受信した決済用データを含む制限解除情報をコード化したコード情報を生成することを特徴とする。
【００１５】
（３）の発明によれば、視聴に制限がかけられた番組の視聴料金の決済に用いられる決済用データが制限解除情報に含まれているため、受信者は、携帯電話機が備えるカメラ等でコード情報を撮像し、得られた画像データに基づいて生成された制限解除情報をサーバ等に送信することにより、視聴料金（例えば、月々固定の受信料金や番組毎に設定された番組視聴料金等）の決済を行うことができる。
また、コード情報を撮像して得られた画像データ（例えば、バーコード）を印刷又は携帯電話機のメモリ等に記憶させて、コンビニエンスストアのレジに備えられているバーコードリーダ等に読み取らせることにより、決済をすることが可能となる。
【００１６】
さらに、本発明は、以下のようなものを提供する。
（４）  視聴に制限がかけられた番組の制限を解除するための制限解除情報をコード化したコード情報を利用者が所有する携帯端末機が備える撮像手段により撮像して得られた画像データに基づいて制限解除情報を生成する上記携帯端末機から制限解除情報を受信する制限解除情報受信手段と、
上記制限解除情報受信手段が受信した制限解除情報に基づいて、視聴に制限がかけられた番組の制限を解除する制限解除信号を送信する制限解除信号送信手段と
を備えたことを特徴とするサーバ。
【００１７】
（４）の発明によれば、コード情報を撮像して得られた画像データから携帯端末機によって生成された制限解除情報を受信すると、受信した制限解除情報に基づいて、視聴に制限がかけられた番組の制限を解除する制限解除信号を受信者の放送受信装置等に送信するため、受信者は、視聴に制限がかけられた番組を視聴することができる。従って、有料放送の受信契約内容の変更に際して、双方向通信機能を備える装置が接続されていなくともその都度放送局に電話等する必要がなく、また、契約内容を変更する時間的制約もないため、きめ細やかなサービスを享受することが可能となる。
【００１８】
さらに、本発明は、以下のようなものを提供する。
（５）  上記（４）の放送受信装置であって、
上記制限解除情報受信手段は、放送受信装置を特定するＩＤデータと視聴に制限がかけられた番組を特定する番組特定データとを含む制限解除情報を受信し、
上記制限解除信号送信手段は、受信したＩＤデータに対応する放送受信装置に、受信した番組特定データに係る番組の視聴を可能とするための制限解除信号を送信することを特徴とする。
【００１９】
（５）の発明によれば、放送受信装置（例えば、セットトップボックス）を特定するＩＤデータと視聴に制限がかけられた番組を特定する番組特定データとを含む制限解除情報を受信すると、受信したＩＤデータに対応する放送受信装置に対して当該番組の視聴制限を解除するための制限解除信号を送信するので、きめ細やかなサービスを享受することを担保することできる。
【００２０】
さらに、本発明は、以下のようなものを提供する。
（６）  上記（４）又は（５）の放送受信装置であって、
視聴料金の決済に係る処理を行う決済処理実行手段
を備え、
上記制限解除情報受信手段は、放送視聴料金の決済に係る決済用データを含む制限解除情報を受信し、
上記決済処理実行手段は、上記制限解除情報受信手段が受信した制限解除情報に含まれる決済用データに基づいて視聴料金の決済に係る処理を行い、
上記制限解除信号送信手段は、上記決済処理実行手段が視聴料金の決済に係る処理を終了した後に、制限解除信号を送信することを特徴とする。
【００２１】
（６）の発明によれば、決済に係る処理を終了した後に制限解除信号を送信するため、その時点で決済が完了する。従って、受信者は、番組を視聴した後に視聴料金を払うという手間をとられることがないため、利便性に優れる。
【発明の効果】
【００２２】
本発明によれば、双方向通信機能を備えていなくとも、有料放送の受信契約内容の変更に際してきめ細やかなサービスを享受することが可能な放送受信装置及びサーバを提供することが可能になる。
【発明を実施するための最良の形態】
【００２３】
図１は、本実施形態に係る放送受信システムの一例を示す構成図である。
放送受信システム１は、放送局２０と、放送局２０から受信した放送データをテレビジョン受像機８０に出力する放送受信装置４０と、撮像手段としてのＣＣＤカメラ３０８（図示せず、図４参照）を備えた携帯電話機３００と、決済機関６０とを備えている。
【００２４】
放送局２０は、放送送出装置３０と管理サーバ２００とから構成されている。
管理サーバ２００では、後述する番組特定データや決済用データを含む共通情報や受信者のＩＤデータ等の個別情報が記憶されている。放送送出装置３０は、スクランブル処理した映像信号、音声信号とともに、管理サーバ２００から供給される共通情報や個別情報を多重化して制限放送データとして送信用アンテナ２１から送出する。
【００２５】
放送受信装置４０では、受信用アンテナ２２から制限放送データを受信すると、信号を分離して映像信号、音声信号、共通情報、個別情報を取り出す。そして、受信した共通情報、個別情報、及び、放送受信装置４０に記憶されているマスタ鍵から受信者が当該番組の視聴契約を行っているかを判断し、視聴契約を行っていると判断した場合には、スクランブルが解除され視聴可能になる。
【００２６】
さらに、放送受信装置４０では、受信した番組特定データ及び決済用データと、放送受信装置４０に記憶されているＩＤデータとを含む制限解除情報をコード化して２次元コードを生成し、映像信号と重ね合わせてテレビジョン受像機８０に出力する。制限解除情報は、視聴に制限がかけられた番組の制限を解除するための情報である。表示手段としてのテレビジョン受像機８０に２次元コード９２が表示されると、受信者は、携帯電話機３００が備えるＣＣＤカメラ３０８により、２次元コード９２を撮像することができる。
【００２７】
携帯電話機３００は、ＣＣＤカメラ３０８が２次元コード９２を撮像した際に得られる画像データから２次元コードを認識し、この認識した２次元コードから、制限解除情報を生成する。そして、制限解除情報を管理サーバ２００に送信する。
【００２８】
管理サーバ２００は、携帯電話機３００から制限解除情報を受信すると、決済機関６０に対して決済要求を行い、決済が完了すると、視聴制限を解除する制限解除信号を、放送送出装置３０に送信する。
【００２９】
このように、放送受信システム１によれば、受信者は、テレビジョン受像機８０の画面に表示される２次元コード９２を携帯電話機３００が備えるＣＣＤカメラ３０８により撮像することにより制限解除情報を取得することができ、この制限解除情報を管理サーバ２００に送信することにより、視聴に制限がかけられた番組の制限を解除することができる。また、当該番組の視聴料金の決済を行うことができる。
【００３０】
本実施形態ではコード情報として、２次元コードを用いる場合について説明するが、本発明におけるコード情報は、２次元コードのみならず、１次元コード（バーコード）も含まれる。また、本実施形態では、２次元コードとしてＱＲコード（登録商標）を用いる場合について説明するが、本発明はこの例に限定されるものではない。
【００３１】
携帯電話機３００は、本発明の携帯端末機に相当するものである。なお、本発明の携帯端末機は、撮像手段を備え、かつ、管理サーバと通信回線を介してデータの送受信を行うことが可能であれば、特に限定されるものではなく、例えば、パーソナル・ディジタル・アシスタンツ等を挙げることができる。
【００３２】
また、本実施形態においては、携帯電話機３００と管理サーバ２００とが無線によりデータの送受信を行う場合について説明するが、本発明は、この例に限定されず、有線により送受信を行うこととしてもよい。すなわち、本発明における通信回線には、有線と、無線による伝送路とが含まれる。
【００３３】
図２は、図１に示した放送送出装置と放送受信装置との内部構成を示すブロック図である。
図２に示すように、放送送出装置３０は、映像スクランブラ３１、音声スクランブラ３２、ＰＮ発生器３３、多重化部３４、受信者別マスタ鍵ファイル３５、暗号化部３６、３７及び送出部３８から構成されている。これらの各部は、図示しないＣＰＵによって、ＲＯＭ等に記憶された所定のプログラムに従い制御されている。
【００３４】
まず、放送送出装置３０では、放送しようとする映像信号及び音声信号がそれぞれ対応する映像スクランブラ３１及び音声スクランブラ３２に入力されると、スクランブル鍵Ｋｓによって設定される初期値に基づいて、ＰＮ発生器３３より供給されるＰＮ系列に基づきスクランブル処理が行われる。
ＰＮ発生器３３は、所定の規則に基づいて擬似的な符号系列（ＰＮ系列）を生成する回路を有していて、その初期値はスクランブル鍵Ｋｓにより設定される。スクランブル鍵Ｋｓは、映像スクランブラ３１及び音声スクランブラ３２に用いられるＰＮ系列の初期値を設定するものであり、放送受信装置４０が備えるＰＮ発生器４２との同期のために用いられるものである。なお、スクランブル処理は、従来公知の技術（例えば、映像信号に関しては走査線内信号切替方式、走査線転移方式、また、音声信号に関してはＰＮ信号系列加算方式等）を採用することができる。
【００３５】
暗号化部３７では、スクランブル鍵Ｋｓが、番組特定データや決済用データ等の共通情報とともに暗号化されるのであるが、このとき、ワーク鍵Ｋｗがスクランブル鍵Ｋｓの伝送時の暗号鍵として暗号化部３７に入力され、共に暗号化される。ワーク鍵Ｋｗは、スクランブル鍵Ｋｓの伝送時の暗号鍵として用いられるものである。番組特定データとは、番組を特定するためのデータをいい、例えば、番組名や番組コード等が含まれる。決済用データとは、当該番組の視聴料金の決済に用いられるデータをいい、管理サーバ２００内の決済用アドレス（ＵＲＬ）や具体的な視聴料金のデータが含まれる。放送送出装置３０では、これらの共通情報が管理サーバ２００から所定のタイミングで送信され、暗号化部３７において暗号化される。
【００３６】
一方、契約内容や放送受信装置４０のＩＤデータ等の個別情報が受信者別マスタ鍵ファイル３５に入力され、受信者毎（放送受信装置４０毎）に異なるマスタ鍵Ｋｍｉが読み出されると、暗号化部３６では、このマスタ鍵Ｋｍｉが暗号鍵として入力され、ワーク鍵Ｋｗが個別情報と共に暗号化される。マスタ鍵ファイル３５は、多数のマスタ鍵Ｋｍ１〜Ｋｍｎを収納しており、管理サーバ２００からの選択命令によりそのうちのひとつのマスタ鍵Ｋｍｘが選択される。ＩＤデータは、放送受信装置４０を特定するデータであり、放送受信装置４０に固有のデータである。放送送出装置３０では、これらの個別情報が管理サーバ２００から所定のタイミングで受信され、暗号化部３６において暗号化される。
【００３７】
そして、映像スクランブラ３１、音声スクランブラ３２、暗号化部３６、３７から送出された各出力信号は、多重化部３４に入力されて多重化された後、送信部３８を介して送信用アンテナ２１から制限放送データとして各受信者に送信される。
【００３８】
また、放送受信装置４０は、信号分離部４１、ＰＮ発生器４２、映像デスクランブラ４３、音声デスクランブラ４４、マスタ鍵記憶部４５、復号部４６、４７、契約条件比較回路４８、放送受信手段としての受信部５０及び出力手段としての出力部５１、入力処理部５２、ＣＰＵ５３、ＲＯＭ５４、ＲＡＭ５５から構成されている。
【００３９】
放送受信装置４０では、受信用アンテナ２２から、受信部５０を介して制限放送データを受信すると、信号分離部４１では、多重化された各信号が分離される。これにより、スクランブルされた映像信号は映像デスクランブラ４３に入力され、スクランブルされた音声信号は音声デスクランブラ４４に入力され、暗号化部３６で暗号化された暗号信号は復号部４６に入力され、更に暗号化部３７で暗号化された暗号信号は復号部４７に入力される。制限放送データには、番組特定データや決済用データが含まれている。受信部５０は、番組特定データ受信手段として機能するとともに、決済用データ受信手段として機能するものである。
【００４０】
マスタ鍵記憶部４５は、取り外し不能に放送受信装置４０内に備えられたＩＣチップであり、放送受信装置４０固有のマスタ鍵ＫｍｉやＩＤデータを記憶している。マスタ鍵記憶部４５は、放送受信装置４０を特定するＩＤデータを記憶する記憶手段として機能するものである。複合部４６では、このマスタ鍵Ｋｍｉを用いて受信したスクランブル放送信号中のワーク鍵Ｋｍ及び個別情報を復号する。復号されたワーク鍵Ｋｗは復号部４７に復号鍵として入力される。復号部４７では、受信したスクランブル放送信号中のスクランブル鍵Ｋｓ及び共通情報をそれぞれ復号させる。
【００４１】
復号部４６より取り出された個別情報及び復号部４７より取り出された共通情報は、それぞれ契約条件比較回路４８に入力され、ここで所定の契約条件を満足するか否かが判定される。契約条件を満足するときには、契約条件比較回路４４からＰＮ発生器４２へ作動信号が出力される。このＰＮ発生器４２は作動信号が入力され、かつ、復号部４７より正しいスクランブル鍵Ｋｓが入力されたときに、放送送出装置３０のＰＮ発生器３３より出力されるＰＮ系列と同じＰＮ系列を発生し、映像デスクランブラ４３及び音声デスクランブラ４４にそれぞれ入力する。このようにして、映像デスクランブラ４３からスクランブル処理が解除された映像信号が取り出され、音声デスクランブラ４４からスクランブル処理が解除された音声信号が取り出される。
【００４２】
また、ＣＰＵ５３は、マスタ鍵記憶部４５に記憶されているＩＤデータと復号部４７より取り出された共通情報（番組特定データ、決済用データ）とを含む制限解除情報をコード化して２次元コードを生成する。この２次元コードは、ＯＳＤ（オン・スクリーン・ディスプレイ）回路５６に出力され、映像デスクランブラ４３から出力された映像信号と合成されて出力部５１から出力される。また、音声デスクランブラ４４から出力された音声信号が出力部５１から出力される。
【００４３】
指示入力部５２は、チャンネルの切り換え、２次元コードの表示等、放送の受信に関する指示入力を行うためのものである。２次元コードが生成されると、２次元コード表示確認画面が表示され、当該２次元コードに係る番組を選択可能となる。選択可能となった番組のなかから受信者が視聴を希望する番組を選択すると、２次元コードが出力されることとなる。
【００４４】
ＲＯＭ５４は、放送受信装置４０を動作させるための所定のプログラムや各部に指示を与える制御指令（コマンド）等が格納されている。ＲＡＭ５５は、ＣＰＵ５３の一時記憶領域として種々の変数や生成された２次元コード等を記憶する機能を有する。
【００４５】
図３は、放送局が有する管理サーバの内部構成を示すブロック図である。
管理サーバ２００は、演算処理装置としてのＣＰＵ２０１と、ＲＯＭ２０２と、ＲＡＭ２０３と、通信用インターフェイス回路２０４と、ハードディスクドライブ２０５とを備えている。
【００４６】
通信用インターフェイス回路２０４は、携帯電話機３００や決済機関６０とインターネットを介して通信することが可能であり、また、放送送出装置３０と接続されていてデータ通信を行うことが可能である。
【００４７】
ハードディスクドライブ２０５には、共通情報として、番組特定データや決済用データ等のデータが記憶されている。これらの共通情報は、放送受信装置４０から送出される番組の内容に応じて所定のタイミングで通信用インターフェイス回路２０４を介して放送受信装置４０に出力される。
また、ハードディスクドライブ２０５には、個別情報として、受信者の契約内容、放送受信装置４０のＩＤデータ、受信者が利用する決済機関６０の口座番号や名義人名等が記憶されている。これら個別情報のうち、受信者の契約内容やＩＤデータ等の所定の情報が、放送される番組の内容に応じて所定のタイミングで放送受信装置４０に出力される。
【００４８】
また、ハードディスクドライブ２０５には、携帯電話機３００から受信した放送受信装置４０のＩＤデータ、番組特定データ、決済用データとを対応付けて記憶する領域がある。ＣＰＵ２０１は、携帯電話機３００からＩＤデータ、番組特定データ、決済用データを受信すると、ＩＤデータに対応する受信者の口座番号等を読み出し、決済機関６０に対して決済用データに基づく視聴料金を当該口座から引き落とす要求を行う。本実施形態では、ＩＤデータに対応する受信者の口座番号に基づいて決済を行う場合について説明するが、この例に限定されず、クレジットカード等の番号であってもよく、決済を行うことが可能であれば、特に限定されるものではない。
さらに、ＣＰＵ２０１は、決済機関６０から引き落としの完了通知を受信すると、該番組特定データに対応する番組の視聴制限を解除する制限解除信号（ＩＤデータ）を個別情報に含めて所定のタイミング（例えば、当該番組の放送が開始されるタイミング）で放送送出装置３０に出力する。その結果、制限解除信号（ＩＤデータ）に対応する受信者の放送受信装置４０のみで当該番組を視聴することが可能となることになる。
本実施形態では、制限解除信号がＩＤデータである場合について説明するが、本発明における制限解除信号はこの例に限定されず、他のデータを含んでもよく、またＩＤデータが含まれていなくともよく、ＩＤデータに対応する放送受信装置４０のみで視聴制限を解除するためのデータであればよい。
【００４９】
また、ハードディスクドライブ２０５は、携帯電話機３００にダウンロードさせるためのプログラムを記憶している。ＣＰＵ２０１は、プログラムのダウンロードを要求する旨の信号を携帯電話機３００から受信した際に、ハードディスクドライブ２０５からプログラムを読み出し、上記プログラムを通信用インターフェイス回路２０４からインターネットを介して携帯電話機３００に送信する。
【００５０】
図４は、図１に示した携帯電話機の内部構成を示すブロック図である。
携帯電話機３００は、操作部３０４、液晶パネル３０６、撮像手段としてのＣＣＤカメラ３０８、無線部３１０、音声回路３１２、スピーカ３１４、マイク３１６、送受信アンテナ３１８、不揮発性メモリ３２０、マイクロコンピュータ３２２及び二次電池３２４を備えている。
【００５１】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された受信信号をスピーカ３１４に出力するとともに、マイク３１６から出力された音声信号を送信信号としてマイクロコンピュータ３２２を通じて無線部３１０に出力する。
【００５２】
スピーカ３１４は、音声回路３１２から出力された受信信号を受信音声に変換して出力し、マイク３１６は、操作者から発せられた送信音声を音声信号に変換して音声回路３１２に出力する。
ＣＣＤカメラ３０８は、テレビジョン受像機８０の画面に表示される２次元コード９２を撮像可能であり、撮像して得られた画像データは不揮発性メモリ３２０に記憶される。本実施形態では、撮像手段としてＣＣＤカメラを用いる場合について説明するが、本発明における撮像手段は、特に限定されるものではなく、例えば、ＣＭＯＳセンサカメラ等を挙げることができる。
【００５３】
不揮発性メモリ３２０は、例えば、ＣＣＤカメラ３０８が２次元コード９２を撮像して得られた画像データ等の各種データや各種プログラムを不揮発的に記憶する。
二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ３２２が無線部３１０及び送受信アンテナ３１８を介して行う。
【００５４】
マイクロコンピュータ３２２は、操作部３０４を介して入力された所定の指示に基づいて、インターネットを介してサーバ２００から所定のプログラムをダウンロードし、不揮発性メモリ３２０に格納する。そして、マイクロコンピュータ３２２は、上記プログラムを不揮発性メモリ３２０から読み出して実行することにより、下記（Ａ）〜（Ｂ）のように機能する。
【００５５】
（Ａ）マイクロコンピュータ３２２は、ＣＣＤカメラ３０８が２次元コード９２を撮像した際に得られる画像データから２次元コードを認識し、この認識した２次元コードから制限解除情報を生成する。
（Ｂ）マイクロコンピュータ３２２は、上記（Ａ）において生成された制限解除情報を、無線部３１０及び送受信アンテナ３１８により、インターネットを介して、サーバ２００に送信する。
【００５６】
本実施形態では、携帯電話機３００がサーバ２００からプログラムをダウンロードする場合について説明するが、予め携帯電話機３００の不揮発性メモリ３２２に記憶される（プレインストールされる）こととしてもよい。
【００５７】
図５は、放送受信装置において実行されるエンコード処理を示すフローチャートである。
この処理は、復号部４７で共通情報（番組特定データ、決済用データ）が複合されると実行される。まず、復号部４７で複合された共通情報（番組特定データ、決済用データ）とマスタ鍵記憶部４５に記憶されているＩＤデータとを含む制限解除情報をセットする（ステップＳ１００）。
【００５８】
次に、制限解除情報の文字種（例えば、数字、英数字等）に応じたモード識別子を作成する（ステップＳ１０１）。次に、制限解除情報の文字数に応じた文字数識別子を作成する（ステップＳ１０２）。次に、制限解除情報を２進化する処理を行う（ステップＳ１０３）。次に、ステップＳ１０１〜Ｓ１０３により得られたデータに終端パターンを付加する処理を行う（ステップＳ１０４）。
【００５９】
次に、ステップＳ１０４により得られたデータのコード語変換を行い（ステップＳ１０５）、さらに、ステップＳ１０５により得られたデータに基づいてエラー訂正コード語を作成し、ステップＳ１０５により得られたデータに付加する（ステップＳ１０６）。次に、ステップＳ１０６により得られたデータを２進化し、マトリックス状に配置する処理を行う（ステップＳ１０７）。
次に、ステップＳ１０７により得られたデータに対して所定パターンのマスクをかける処理を行う（ステップＳ１０８）。次に、エラー訂正レベルとマスク識別子とを含む形式情報を付加する処理を行い（ステップＳ１０９）、２次元コードを生成する（ステップＳ１１０）。生成された２次元コードは、ＲＡＭ５５に記憶される。その後、本サブルーチンを終了する。ステップＳ１００〜ステップＳ１１０の処理において放送受信装置４０は、２次元コードを生成する生成手段として機能する。
【００６０】
本実施形態においては、制限解除情報としてＩＤデータと番組特定データと決済用データとを２次元コードにエンコード（コード化）する場合について説明したが、本発明においてはこれに限定されず、例えば、放送局を識別する放送局識別データ等を含んでいてもよい。
また、本実施形態においては、制限解除情報のみを２次元コードにエンコード（コード化）する場合について説明したが、本発明においては、制限解除情報と他のデータとをエンコードすることとしてもよい。
【００６１】
図６は、放送受信装置において実行される２次元コード出力処理のサブルーチンを示すフローチャートである。このサブルーチンは、図５に示した処理とは別に、予め実行されているメインルーチンから所定のタイミングで呼び出されて実行されるものである。
【００６２】
まず、２次元コードが生成されたか否かを判断し（ステップＳ１５０）、生成されていないと判断した場合には、本サブルーチンを終了する。
【００６３】
一方、生成されたと判断した場合には、当該２次元コードを表示させるか否かを確認するための２次元コード表示確認画面を出力する（ステップＳ１５１）。このとき、２次元コードが複数生成された場合には、２次元コードの選択を受け付けた後、２次元コード表示確認画面を出力する。
【００６４】
次に、２次元コード表示承認入力があったか否かを判断する（ステップＳ１５２）。指示入力部５２を介して受信者から２次元コードの表示承認入力があった場合には、ＲＡＭ５５に記憶された２次元コードを呼び出して出力し（ステップＳ１５３）、本サブルーチンを終了する。一方、２次元コード表示承認入力がなかった場合には、本サブルーチンを終了する。
【００６５】
図７は、携帯電話機において実行される２次元コード認識処理を示すフローチャートである。
まず、携帯電話機３００が備えるマイクロコンピュータ３２２は、操作部３０４を介して入力された指示に基づいて、撮像手段としてのＣＣＤカメラ３０８を駆動させ、テレビジョン受像機８０の画面に表示された２次元コード９２を撮像する（ステップＳ２００）。
【００６６】
次に、マイクロコンピュータ３２２は、ステップＳ２００において得られた画像データを不揮発性メモリ３２０に記憶させる（ステップＳ２０１）。
【００６７】
次に、マイクロコンピュータ３２２は、不揮発性メモリ３２０に記憶された画像データに対して画像変換処理を行う（ステップＳ２０２）。画像変換処理は、撮像されて得られた画像データから、２次元コードが表示されている領域の画像データを抜き出し、傾きや歪みを補正し、所定の閾値によりモノクロ画像に変換し、正面視した２次元コードを含む画像データを得る処理である。
【００６８】
次に、マイクロコンピュータ３２２は、ステップＳ２０２において得られた画像データから２次元コードを抽出し、ノイズ除去等の補正を行う（ステップＳ２０３）。
次に、マイクロコンピュータ３２２は、ステップＳ２０３において得られた２次元コードの２値化処理を行い、２次元コードを構成する各ドットを“０”又は“１”に置き換え（ステップＳ２０４）、２値化マトリックスデータを生成する（ステップＳ２０５）。次に、マイクロコンピュータ３２２は、２値化マトリックスデータをデコードし（ステップＳ２０６）、制限解除情報を生成する（ステップＳ２０７）。その後、本サブルーチンを終了する。
【００６９】
図８は、管理サーバと決済機関とにおいて実行される処理を示すフローチャートである。
まず、管理サーバ２００は、２次元コード認識処理により得られた制限解除情報を携帯電話機３００からインターネットを介して受信する（ステップＳ３００）。このとき、管理サーバ２００は、携帯電話機３００から制限解除情報を受信する制限解除情報受信手段として機能する。
【００７０】
次に、管理サーバ２００は、制限解除情報に含まれるＩＤデータに対応する受信者の口座番号、名義人名を読み出し、決済機関６０に対して決済用データに基づく視聴料金を当該口座から引き落とす要求を行う（ステップＳ３０１）。このとき、管理サーバ２００は、視聴料金の決済に係る処理を行う決済処理実行手段として機能する。
【００７１】
決済機関６０は、口座番号と名義人との整合性等、引き落とし要求の有効性をチェックした後（ステップＳ４００）、引き落とし処理を実行し（ステップＳ４０１）、引き落とし完了通知を管理サーバ２００に送信する（ステップＳ４０２）。決済機関６０としては、銀行やクレジットカード会社等が挙げられる。
【００７２】
管理サーバ２００は、引き落とし完了通知を受信すると、ステップＳ３００において受信した制限解除情報に含まれる番組特定データに対応する番組の視聴制限を解除する制限解除信号を、所定のタイミング（例えば、当該番組の放送が開始されるタイミング）で放送送出装置３０に送信する（ステップＳ３０２）。このとき、管理サーバ２００は、制限解除信号を送信する制限解除信号送信手段として機能する。その結果、受信者は、視聴に制限がかけられた番組の視聴が可能になる。
【００７３】
以上、本実施形態に係る放送受信装置４０によれば、制限解除情報をコード化した２次元コード９２がテレビジョン受像機８０に出力される。従って、例えば、受信者は、携帯電話機３００が備えるＣＣＤカメラ３０８で２次元コード９２を撮像し、得られた画像データに基づいて生成された制限解除情報を管理サーバ２００に送信することにより、視聴に制限がかけられた番組を視聴することができる。このように、有料放送の受信契約内容の変更に際して、双方向通信機能を備える装置が接続されていなくともその都度放送局２０に電話等する必要がなく、また、契約内容を変更する時間的制約もないため、きめ細やかなサービスを享受することが可能となる。
【００７４】
また、放送受信装置４０によれば、放送受信装置４０を特定するＩＤデータと放送局２０から受信した番組特定データとを含む制限解除情報がコード化されて２次元コード９２が生成され、テレビジョン受像機８０に出力される。このように、制限解除情報にはＩＤデータと番組特定データとが含まれているため、例えば、受信者が撮像した２次元コード９２に基づいて生成された制限解除情報が管理サーバ２００に送信されると、管理サーバ２００は、当該ＩＤデータの受信者に対して当該番組の視聴制限を解除するための制限解除信号を送信することができるようになる。
【００７５】
また、放送受信装置４０によれば、決済用データが制限解除情報に含まれているため、受信者は、携帯電話機３００が備えるＣＣＤカメラ３０８で２次元コード９２を撮像し、得られた画像データに基づいて生成された制限解除情報を管理サーバ２００に送信することにより、視聴料金（例えば、月々固定の受信料金や番組毎に設定された番組視聴料金等）の決済を行うことができる。
【００７６】
また、本実施形態に係る管理サーバ２００によれば、２次元コード９２を撮像して得られた画像データから携帯電話機３００によって生成された制限解除情報を受信すると、受信した制限解除情報に基づいて、視聴に制限がかけられた番組の制限を解除する制限解除信号を受信者の放送受信装置４０に送信するため、受信者は、視聴に制限がかけられた番組を視聴することができる。従って、有料放送の受信契約内容の変更に際して、双方向通信機能を備える装置が接続されていなくともその都度放送局２０に電話等する必要がなく、また、契約内容を変更する時間的制約もないため、きめ細やかなサービスを享受することが可能となる。
【００７７】
また、管理サーバ２００によれば、放送受信装置４０を特定するＩＤデータと視聴に制限がかけられた番組を特定する番組特定データとを含む制限解除情報を受信すると、受信したＩＤデータに対応する放送受信装置４０に対して当該番組の視聴制限を解除するための制限解除信号を送信するので、きめ細やかなサービスを享受することを担保することできる。
【００７８】
また、管理サーバ２００によれば、決済に係る処理を終了した後に制限解除信号を送信するため、その時点で決済が完了する。従って、受信者は、番組を視聴した後に視聴料金を払うという手間をとられることがないため、利便性に優れる。
【００７９】
本実施形態では、テレビジョン受像機８０に２次元コードを出力する場合について説明したが、本発明における表示手段はこの例に限定されず、パーソナルコンピュータが備えるディスプレイやプロジェクター等であってもよい。
また、本実施形態では、放送受信装置４０の外部に接続されたテレビジョン受像機８０に２次元コードを出力する場合について説明したが、本発明においてはこれに限定されず、テレビジョン受像機８０内に放送受信装置４０が組み込まれているといったように、放送受信装置４０が表示手段を備える構成であってもよい。
【００８０】
本実施形態では、記憶手段が、取り外し不能に放送受信装置４０内に備えられたＩＣチップである場合について説明したが、ＲＯＭやハードディスク等であってもよい。また、本実施形態ではＩＣチップがＩＤデータを記憶している場合について説明したが、ＩＣチップの代わりにＩＣチップリーダを備え、外部から挿入されるＩＣチップ内蔵のカード等に記憶されていてもよい。
【００８１】
本実施形態では、管理サーバ２００と放送送出装置３０とが個別に設けられている場合について説明したが、本発明においては、管理サーバ２００が放送送出装置３０を備えていてもよい。
【００８２】
本実施形態では、制限解除情報を管理サーバ２００に送信すると、決済が行われた上で、制限がかけられた番組の視聴が可能である場合について説明したが、本発明においては、
決済を行う前にパスワードの入力等を行うこととしてもよい。
【００８３】
本実施形態では、番組特定データが放送局２０から送信される場合について説明したが、本発明においてはこれに限定されず、例えば、指示入力部５２から入力されてもよい。
【００８４】
本実施形態では、決済が完了したことを条件として制限解除信号を管理サーバ２００が放送送出装置３０に送信する場合について説明したが、本発明においては決済が完了していなくとも、制限解除信号を送信してもよい。この場合、２次元コード９２を撮像して得られた画像データを印刷又は携帯電話機３００のメモリ等に記憶させて、コンビニエンスストアのレジに備えられているバーコードリーダ等に読み取らせることにより、決済をすることが可能である。
【００８５】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８６】
【図１】本実施形態に係る放送受信システムの一例を示す構成図である。
【図２】図１に示した放送送出装置と放送受信装置との内部構成を示すブロック図である。
【図３】図１に示した管理サーバの内部構成を示すブロック図である。
【図４】図１に示した携帯電話機の内部構成を示すブロック図である。
【図５】放送受信装置において実行されるエンコード処理のサブルーチンを示すフローチャートである。
【図６】放送受信装置において実行される２次元コード出力処理のサブルーチンを示すフローチャートである。
【図７】携帯電話機において実行される２次元コード認識処理を示すフローチャートである。
【図８】管理サーバと決済機関とにおいて実行される処理を示すフローチャートである。
【符号の説明】
【００８７】
１  放送受信システム
２０  放送局
３０  放送送出装置
４０  放送受信装置
４３  映像デスクランブラ
４４  音声デスクランブラ
４５  マスタ鍵記憶部
５０  受信部
５１  出力部
５３  ＣＰＵ
５４  ＲＯＭ
５５  ＲＡＭ
６０  決済機関
８０  テレビジョン受像機
９２  ２次元コード
２００  管理サーバ
２０１  ＣＰＵ
２０２  ＲＯＭ
２０３  ＲＡＭ
２０５  ハードディスク
３００  携帯電話機
３０８  ＣＣＤカメラ
【図１】
2007027825.tif 000003
【図２】
2007027825.tif 000004
【図３】
2007027825.tif 000005
【図４】
2007027825.tif 000006
【図５】
2007027825.tif 000007
【図６】
2007027825.tif 000008
【図７】
2007027825.tif 000009
【図８】
2007027825.tif 000010